(57)【要約】  情報記録媒体に最適の記録パワーを制御してデータを記録した情報記録媒体、記録/再生する方法及び装置が開示されている。データ記録/再生方法は、複数層の情報保存層を有する記録可能な情報記録媒体にピックアップ装置を用いてデータを記録/再生する方法において、記録しようとする情報保存層に最適の記録パワーを制御するための作業を行う前に少なくとも最適の記録パワーを探すためのテストビームが通過する情報保存層の部分にデータを記録する段階と、情報保存層に最適の記録パワーを制御するための作業を行う段階と、を含む。以上の構成により、最適の記録パワーをテストしてデータを記録することによって、良好な記録/再生特性が得られる。
2007526595.tif 000002
【特許請求の範囲】
【請求項１】
複数層の情報保存層を有する記録可能な情報記録媒体にピックアップ装置を用いてデータを記録/再生する方法において、
記録しようとする情報保存層に最適の記録パワーを制御するための作業を行う前に、少なくとも最適の記録パワーを探すためのテストビームが通過する情報保存層の部分にデータを記録する段階と、
前記情報保存層に最適の記録パワーを制御(0PC)するための作業を行う段階とを含むことを特徴とする方法。
【請求項２】
前記情報保存層の一部が前記テストビームに含まれるトラックに対応し、
次のような条件式を満足することを特徴とする請求項１に記載の方法：
【数１】
2007526595.tif 000008
ここで、SLは情報保存層間のスペース層の厚さを、TPはトラックピッチを、NAは対物レンズの開口数を、nは情報記録媒体の屈折率を示す。
【請求項３】
前記ピックアップから近い情報保存層からデータを記録することを特徴とする請求項１に記載の方法。
【請求項４】
前記ピックアップから近い情報保存層にデータ記録を完了し、その上の情報保存層へのデータ記録前に記録しようとする情報保存層の最適の記録パワーを制御するための作業を行うことを特徴とする請求項１に記載の方法。
【請求項５】
前記情報記録媒体へのユーザデータの記録前に前記複数層の情報保存層に最適の記録パワーを制御するための作業を行うことを特徴とする請求項１に記載の方法。
【請求項６】
前記複数の情報保存層は、第1及び第2情報保存層を含み、前記第1情報保存層が第2情報保存層よりピックアップに近く位置する時、前記第2情報保存層に最適の記録パワーを制御するための作業を行う前にビームが通過する第1情報保存層の部分にデータが記録されることを特徴とする請求項１に記載の方法。
【請求項７】
前記情報記録媒体のリードイン領域及びリードアウト領域のうち少なくとも一領域に最適の記録パワーを制御するために必要なコントロール情報を記録することを特徴とする請求項１に記載の方法。
【請求項８】
前記コントロール情報は、ジッタ、非対称性、変調度または反射率のうち少なくとも１つであることを特徴とする請求項７に記載の方法。
【請求項９】
前記コントロール情報は、テストビームが通過する領域にデータが記録された後に測定された情報であることを特徴とする請求項８に記載の方法。
【請求項１０】
前記テストビームが通過する領域にデータが記録されているという情報を記録することを特徴とする請求項１に記載の方法。
【請求項１１】
請求項１に記載の方法によりデータが記録された情報記録媒体。
【請求項１２】
請求項４に記載の方法によりデータが記録された情報記録媒体。
【請求項１３】
複数個の情報保存層を備える記録可能な情報記録媒体にデータを記録/再生する装置において、
前記情報記録媒体にビームを照射するピックアップ部と、
前記情報記録媒体で反射されたビームを前記ピックアップ部を通じて受信して信号処理する記録/再生信号処理部と、
最適の記録パワーを探すためのテストビームが通過する情報保存層の部分にデータが記録されたか否かを検出し、前記テストビームが通過する部分にデータが記録されているとき、前記ピックアップ部を通じて記録しようとする情報保存層に最適の記録パワーを制御するための作業を行う制御部とを備えることを特徴とする装置。
【請求項１４】
第1情報保存層と第2情報保存層とを備え、前記第1及び第2情報保存層にはリードイン領域、ユーザデータ領域及びリードアウト領域が備えられ、前記第1情報保存層からデータを記録する情報記録媒体において、
前記第1情報保存層と第2情報保存層は、各々OPC領域を備え、
前記第1情報保存層のOPC領域の内周または外周にデータを記録し、前記データの記録された領域と対向する前記第2情報保存層の領域に最適の記録パワーをテストすることを特徴とする情報記録媒体。
【請求項１５】
前記OPC領域は、リードイン領域またはリードアウト領域以外の領域に備えられることを特徴とする請求項１３に記載の情報記録媒体。
【請求項１６】
複数層の情報保存層を有する記録可能な情報記録媒体において、
データを記録しようとする情報保存層のうち、最適の記録パワーを探すためのテストビームが通過する部分にデータの記録有無についてのOPC情報が記録されていることを特徴とする情報記録媒体。
【請求項１７】
前記OPC情報は、前記テストビームが通過する情報保存層のOPC領域の内周または外周にデータの記録有無についての情報を含むことを特徴とする請求項１６に記載の情報記録媒体。
【請求項１８】
前記情報保存層は、各々リードイン領域、ユーザデータ領域及びリードアウト領域を含み、前記OPC情報は、前記リードイン領域及びリードアウト領域のうち少なくとも一領域に記録されることを特徴とする請求項１６に記載の情報記録媒体。
【請求項１９】
前記リードイン領域は、再生専用領域と記録可能な領域とを含み、前記OPC情報は、前記記録可能な領域に記録されることを特徴とする請求項１８に記載の情報記録媒体。
【請求項２０】
複数個の情報保存層を備える記録可能な情報記録媒体に/からデータを記録/再生する装置において、
前記情報記録媒体にビームを照射するピックアップ部と、
前記情報記録媒体で反射されたビームを前記ピックアップ部を通じて受信して信号処理する記録/再生信号処理部と、
最適の記録パワーを探すためのテストビームが通過する情報保存層の部分にデータの記録有無についての情報を読取り、この情報を用いて前記ピックアップ部を通じて記録しようとする情報保存層に最適の記録パワーを制御するための作業を行わせる制御部とを備えることを特徴とする装置。
【請求項２１】
前記テストビームが通過する領域にデータが記録されていない場合、記録しようとする情報保存層に最適の記録パワーを探すためにテストビームが通過する領域にデータを記録するようにピックアップを制御することを特徴とする請求項２０に記載の装置。
【請求項２２】
前記テストビームが通過する領域にデータが記録されているという情報を記録することを特徴とする請求項２１に記載の装置。
【請求項２３】
前記テストビームが通過する領域にデータの記録された場合と記録されていない場合とに対して、それぞれの最適の記録パワー条件についての情報を有していることを特徴とする請求項２０に記載の装置。
【請求項２４】
前記テストビームが通過する領域にデータが記録されていない場合、前記最適の記録パワー条件についての情報を用いて前記データを別途に記録せず、最適の記録パワーを探すための作業を行うことを特徴とする請求項２３に記載の装置。
【請求項２５】
複数の記録層を有する情報記録媒体にある各記録層に対して最適のパワーコントロール(OPC)を行う方法であって、
コントロール情報を読取る段階と、
前記複数の記録層の第1記録層にOPCを行う段階と、
第1記録層にユーザデータを記録する段階と、
ユーザデータが入力される間に、第1記録層上に配置された第2記録層上にOPCを行い、前記第2記録層上へのOPCの実行中に入力されたユーザデータが、第2記録層上へのOPCの実行が完了するまで、メモリまたはバッファに保存される段階とを含むことを特徴とする方法。
【請求項２６】
前記第1記録層にOPCを行い、第2記録層にOPCを行う間に、コントロール情報を読取る段階が反射率、ジッタ、変調度または非対称性のうち少なくとも１つを含むことを特徴とする請求項２５に記載の方法。
【請求項２７】
前記データが請求項25または26に記載の方法により記録される情報記録媒体。
【請求項２８】
複数の記録層を有する情報記録媒体にある各記録層に対して最適のパワーコントロール(OPC)を行う方法であって、前記方法は、
情報記録媒体がドライブに挿入される時、各記録層にOPCを順次に行う段階と、
各記録層にデータを順次に記録する段階とを含むことを特徴とする方法。
【請求項２９】
各記録層にOPCを行う間に、コントロール情報を読取る段階が反射率、ジッタ、変調度または非対称性のうち少なくとも１つを含むことを特徴とする請求項２８に記載の方法。
【請求項３０】
前記データが請求項28に記載の方法によって記録される情報記録媒体。
【請求項３１】
複数の記録層を備える記録可能な情報記録媒体に/からデータを記録及び/または再生する装置であって、前記装置は、
前記情報記録媒体にビームを照射するピックアップと、
前記ビームが情報記録媒体に照射されるとき、記録層の最も低いところから上方にOPCを行う最適のパワーコントロール(OPC)制御部と、
メモリまたはバッファと、
前記メモリまたはバッファにOPCが行われる記録層にユーザデータを記録/再生する記録/再生信号処理部とを備え、
OPC制御部が重複記録層にOPCを行って前記重複記録層のOPCの間に入力されたユーザデータを記録し、メモリまたはバッファが前記重複記録層のOPCが完了するまでユーザデータの保存に用いられることを特徴とする装置。
【請求項３２】
複数の記録層を備える記録可能な情報記録媒体に/からデータを記録及び/または再生する装置であって、前記装置は、
前記情報記録媒体にビームを照射するピックアップと、
前記ビームが情報記録媒体に照射されるとき、各記録層にOPCを順次に行う最適のパワーコントロール(OPC)制御部と、
各記録層にデータを順次的に記録/再生する記録/再生信号処理部と、を備えることを特徴とする装置。
【請求項３３】
OPCの実行前に、OPCの間にビームが通過する情報記録媒体の領域にデータをあらかじめ記録することを除去するために情報記録媒体についての所定の最適のパワー制御(OPC)情報を有するディスクドライブ。
【請求項３４】
最適のパワー制御(OPC)のためのビームが通過する領域にデータの記録有無を示す情報が保存された情報記録媒体。
【発明の詳細な説明】
【技術分野】
【０００１】
本発明は、情報記録媒体、該情報記録媒体に/からデータを記録/再生する方法及び装置に係り、さらに詳細には、複数層の情報保存層を有する情報記録媒体に最適の記録パワーを制御してデータを記録した情報記録媒体、該情報記録媒体に/からデータを記録/再生する方法及び装置に関する。
【背景技術】
【０００２】
一般的に情報記録媒体は、非接触式で情報を記録/再生するピックアップ装置の情報記録媒体として広く採用され、情報記録媒体の一種である光ディスクは、情報記録容量によってCD（コンパクトディスク）、デジタル多機能ディスク(DVD：デジタルバーサタイルディスク)に区分される。そして、記録、消去及び再生が可能な光ディスクとしては650MB  CD-R、CD-RW、4.7GB  DVD+RWなどがある。また、記録容量が15GB以上であるHD-DVDまたはブルーレイディスクも開発されており、分解能の限界を超えてデータを再生しうる超解像ディスクも開発されている。
【０００３】
しかし、現在市販されている記録可能なDVDは、容量が4.7GBの単層ディスクしかない。ところが、DVD-ROMの場合には、8.5GBである2層のディスクが販売されている。このような8.5GBのDVD-ROMに記録されたデータをバックアップするためには、同じ容量の記録可能なDVDが必要である。したがって、少なくとも第1及び第2情報保存層を有する記録可能なディスクが現実的に必要である。これを実現させるためには、複数層の情報保存層を有する記録可能な情報記録媒体についての記録/再生特性を保証しうる方法が要求され、このような記録/再生特性のうち、最適の記録パワー制御が重要な特性の１つである。
【発明の開示】
【発明が解決しようとする課題】
【０００４】
本発明は、前記問題点を解決するために創出されたものであって、複数層の情報保存層を有する記録可能な情報記録媒体に最適の記録パワーを制御してデータを記録及び/または再生する方法、装置及びその方法によりデータの記録された情報記録媒体を提供するところにその目的がある。
【課題を解決するための手段】
【０００５】
前記目的を達成するための本発明による情報記録媒体のデータ記録/再生方法は、複数層の情報保存層を有する記録可能な情報記録媒体にピックアップ装置を用いてデータを記録/再生する方法において、記録しようとする情報保存層に最適の記録パワーを制御するための作業を行う前に少なくとも最適の記録パワーを探すためのテストビームが通過する情報保存層の部分にデータを記録する段階と、前記情報保存層に最適の記録パワーを制御するための作業を行う段階と、を含むことを特徴とする。
【０００６】
前記テストビームが通過する情報保存層の部分は、前記ビームに含まれるトラック数に対応することを特徴とする。
【０００７】
前記トラック数は、次のような条件式を満足することを特徴とする。
【０００８】
【数２】
2007526595.tif 000003
ここで、SLは情報保存層間のスペース層の厚さを、TPはトラックピッチを、NAは対物レンズの開口数を、nは情報記録媒体の屈折率を示す。
【０００９】
また、本発明では、前記ピックアップから近い情報保存層からデータを記録することが望ましい。
【００１０】
また、前記複数の情報保存層は第1及び第2情報保存層を含み、前記第1情報保存層がピックアップに近く位置する時、前記第2情報保存層に最適の記録パワーを制御するための作業を行う前にビームが通過する第1情報保存層の部分にデータを記録することが望ましい。
【００１１】
前記情報保存層ごとにジッタ、非対称性、変調度及び反射率のうち少なくとも１つの情報が記録されることを特徴とする。
【００１２】
前記目的を達成するために本発明によるデータ記録/再生装置は、複数個の情報保存層を備える記録可能な情報記録媒体に/からデータを記録/再生する装置において、前記情報記録媒体にビームを照射するピックアップ部と、前記情報記録媒体で反射されたビームを前記ピックアップ部を通じて受信して信号処理する記録/再生信号処理部と、最適の記録パワーを探すためのテストビームが通過する情報保存層の部分にデータの記録有無を検出し、前記テストビームが通過する部分にデータが記録されているとき、前記ピックアップ部を通じて記録しようとする情報保存層に最適の記録パワーを制御するための作業を行う制御部とを備えることを特徴とする。
【００１３】
前記目的を達成するための本発明による情報記録媒体は、第1情報保存層と第2情報保存層とを備え、前記第1及び第2情報保存層には各々OPC領域を有するリードイン領域、ユーザデータ領域及びリードアウト領域が備えられ、前記第1情報保存層からデータを記録する情報記録媒体において、前記第1情報保存層のOPC領域の内周または外周にデータを記録し、前記データの記録された領域と対向する前記第2情報保存層の領域に最適の記録パワーをテストすることを特徴とする。
【００１４】
前記目的を達成するための本発明による情報記録媒体は、複数層の情報保存層を有する記録可能な情報記録媒体において、データを記録しようとする情報保存層に最適の記録パワーを探すためのテストビームが通過する情報保存層の部分にデータの記録有無についてのOPC情報が記録されていることを特徴とする。
【００１５】
前記OPC情報は、前記テストビームが通過する情報保存層のOPC領域の内周または外周にデータの記録有無についての情報を含む。
【００１６】
前記情報保存層は、各々リードイン領域、ユーザデータ領域及びリードアウト領域を含み、前記OPC情報は、前記リードイン領域及びリードアウト領域のうち少なくとも一領域に記録されることを特徴とする。
【００１７】
前記リードイン領域は、再生専用領域と記録可能な領域とを含み、前記OPC情報は、前記記録可能な領域に記録されることを特徴とする。
【００１８】
前記目的を達成するために本発明による装置は、複数個の情報保存層を備える記録可能な情報記録媒体に/からデータを記録/再生する装置において、前記情報記録媒体にビームを照射するピックアップ部と、前記情報記録媒体で反射されたビームを前記ピックアップ部を通じて受信して信号処理する記録/再生信号処理部と、最適の記録パワーを探すためのテストビームが通過する情報保存層の部分にデータの記録有無についての情報を読取り、この情報を用いて前記ピックアップ部を通じて記録しようとする情報保存層に最適の記録パワーを制御するための作業を行わせる制御部と、を備えることを特徴とする。
【００１９】
前記テストビームが通過する領域にデータが記録されていない場合、記録しようとする情報保存層に最適の記録パワーを探すためにテストビームが通過する領域にデータを記録するようにピックアップを制御する。
【００２０】
前記テストビームが通過する領域にデータが記録されているという情報を記録することが望ましい。
【００２１】
前記装置は、前記テストビームが通過する領域にデータの記録された場合と記録されていない場合とについて、それぞれの最適の記録パワー条件についての情報を有していることを特徴とする。
【００２２】
前記テストビームが通過する領域にデータが記録されていない場合、前記最適の記録パワー条件についての情報を用いて前記データを別途に記録せず、最適の記録パワーを探すための作業を行うことを特徴とする。
【００２３】
本発明の付加的な側面及び/または利点は後続する説明で一部記述され、説明から一部自明になり、または本発明の実施により習得されうる。
【発明を実施するための最良の形態】
【００２４】
本発明の実施形態についての符号が詳細に作られ、これらは添付された図面に示されており、類似した参照符号は全体として類似した要素を示す。実施形態は、図面を参照して本発明を説明するために次の通り説明される。
【００２５】
本発明による情報記録媒体に/からデータを記録/再生する方法は、複数の情報保存層のうち、データを記録しようとする層に最適の記録パワーを探すためのビームを照射する時、前記ビームが通過する他の情報保存層の部分にデータを先に記録させるものである。
【００２６】
記録可能な情報記録媒体は、データの記録に先行して最適の記録パワーを探すためのOPC(Optimum  Power  Control)を行う。OPCを行うためにOPC領域に所定の記録パワーでデータを記録し、その再生特性をテストする。テストの結果、最適の記録パワーを探せば、その記録パワーでデータを記録する。
【００２７】
ところが、複数の情報保存層を有する記録可能な情報記録媒体でOPCを行う場合、各情報保存層でのOPCによる記録/再生特性が変わりうる。例えば、各情報保存層の記録順序や記録パワーによって記録/再生特性が変わるならば、最適の記録パワー制御が不正確になることがある。したがって、記録/再生特性が情報保存層の状態によって変わりうる条件を探し、このような条件を考慮して最適の記録パワーを制御する必要がある。
【００２８】
したがって、データの記録/再生特性に影響を及ぼす条件を把握するために、図1に示されたように、第1情報保存層L1と第2情報保存層L2を有する情報記録媒体にデータを記録する順序と記録パワーを変えつつ、実験した。
【００２９】
実験に使われた情報記録媒体及び記録ストラテジーの条件は次の通りである。
【００３０】
情報記録媒体の線速度は3.8m/s、レーザー波長は650nm、対物レンズの開口数は0.60である。そして、記録ストラテジーは、マルチパルスとして、第1情報保存層L1には記録パワーが15.1mW、Ttopが1.45T、Tmpが0.65T、Tdtp  3Tが-0.03Tである記録ストラテジーを、第2情報保存層L2には、記録パワーが20mW、Ttopが1.65T、Tmpが0.70T、Tdtp  3Tは-0.03Tである記録ストラテジーを使用した。Ttopは、マルチパルス列のうち、先頭パルスの持続時間であり、Tmpはマルチパルス列内の各パルスの持続時間であり、Tdtpは基準時間からシフトされた時間を各々示す。ここで、基本記録条件は、測定しようとする情報保存層にのみデータを記録して、最少ジッタの記録パワーと記録ストラテジーにセットされ、1Tは38.5nsを示す。
【００３１】
前記条件で第1及び第2情報保存層L1、L2にデータを記録してジッタ値、I3/I14(変調度)、非対称性(asymmetry)、反射率を測定した結果は表1のようである。ここで、ピックアップ装置は、第1情報保存層L1に近く配置されており、図面符号10は、対物レンズを示す。
【００３２】
【表１】
2007526595.tif 000004
表1の結果によれば、第1情報保存層L1は、記録状態や記録順序に関係なくジッタ、I3/I14、非対称性、反射率のような特性が大きく変わっていないが、一方、第2情報保存層L2は、記録順序によって特性が変わっている。すなわち、第1情報保存層に記録した後で第2情報保存層に記録をした場合に、反射率だけでなく非対称性、ジッタの変化が大きく現れた。一方、第1情報保存層に記録した後で第2情報保存層に記録をした場合に比べてその変化は少なかったが、第2情報保存層に記録した後で第1情報保存層に記録した場合にも特性の変化があった。
【００３３】
次は、記録パワーを一般的なパワーより大きくして記録した場合の記録/再生特性を測定したものである。最適の記録パワーを制御するための作業時に最適の記録パワーを求めるためにいろいろなパワーを使用してテストを行う。特に、一定期間情報記録媒体を使用した後には記録媒体表面の汚染などによって、適正のパワーより高い記録パワーが必要な場合もあるために、相対的に高いパワーでテストを行う必要がある。このような状況を考慮して適正パワー(ノーマルパワー)の120%、150%の記録パワーを使用して記録した後で記録/再生特性を測定した結果を表2に表した。
【００３４】
【表２】
2007526595.tif 000005
表2によれば、記録パワーが相対的に高くなった場合、第1情報保存層は記録/再生特性は大きく変わっていないが、一方、第2情報保存層は、第1情報保存層に記録後第2情報保存層に記録すれば、反射率だけでなく非対称性及びジッタが大きく変わった。適正パワーで記録した場合と比較すると、ジッタが悪くなる傾向があるが、非対称性と反射率は、別差はなかった。
【００３５】
表1及び表2の結果によれば、第1情報保存層は、記録順序や記録パワーに大きく影響を受けないが、一方、第2情報保存層は、多くの影響を受け、特に、第1情報保存層に記録した後、第2情報保存層に記録する場合に、記録/再生特性により多くの変化が生じることが分かる。このような変化は、記録ビームが過ぎる部分にデータが記録された場合と、記録されていない場合との透過率が異なり、このような透過率差によって記録パワーが小さくなるからである。
【００３６】
一方、最適の記録パワーを探すためには、記録/再生特性の変化を最も多く招く条件でテストを行わねばならない。すなわち、いかなる条件下でも記録/再生特性の変化がほとんどないならば、最適の記録パワーをテストするための特別な条件がなくても、正確な最適の記録パワーが探せるが、記録条件によって記録/再生特性が変わるならば、特性変化が最も多く起こる条件でテストを行って初めて、最適の記録パワーが探せる。
【００３７】
したがって、本発明では最適の記録パワーを探すためにテストビームが照射される時、少なくとも前記テストビームが過ぎる情報保存層の部分にデータが記録されていることが望ましい。
【００３８】
例えば、図2に示されたように第1情報保存層L1と第2情報保存層L2とを含む情報記録媒体Dで、第1情報保存層L1の下方にデータを記録するためのピックアップ装置50が備えられ、第2情報保存層L2にOPCを行うためにテストビームを照射する前に、このテストビームが過ぎる第1情報保存層L1の部分にデータがまず記録される。また、前記テストビームが過ぎる部分に含まれたトラック数に対応する数ほどデータが記録されることが望ましい。
【００３９】
図1を参照するに、テストビームが第1情報保存層L1を過ぎる部分のトラック数は、次の式（１）のように求められる。
【００４０】
【数３】
2007526595.tif 000006
式（１）でSLは第1及び第2情報保存層L1、L2間のスペース層15の厚さを、TPはトラックピッチを示す。また、記録媒体の屈折率がnである時、対物レンズ10の開口数NAは、NA=nsinθの関係式を用いて前記式（１）は次のように求められる。
【００４１】
【数４】
2007526595.tif 000007
NAは対物レンズ10の開口数を、nは情報記録媒体の屈折率を示す。
【００４２】
第2情報保存層にOPCのためのテストビームが照射される前に前記式（２）によるトラック数に対応する領域は少なくともデータが記録されていることが望ましい。
【００４３】
具体的に、SL  tanθ=41.25(μｍ)であり、TP=0.74μｍである時、テストビームに含まれるトラック数は約112トラックとなる。
【００４４】
また、DVD-ROMの第1情報保存層下の方にピックアップ装置が備えられ、ピックアップ装置に近い第1情報保存層からデータが記録されることを考慮する時、DVD-ROMとの一貫性(consistency)を維持するために記録可能な情報記録媒体も第1情報保存層L1からデータが記録され、次に第2情報保存層にデータが記録されることが望ましい。
【００４５】
しかし、本発明によるデータ記録/再生方法は、ピックアップ装置が第2情報保存層の上側に備えられる場合にも同一に適用されうる。この場合には、第2情報保存層L2にデータがまず記録され、第1情報保存層L1にデータを記録するためにOPCを行なう場合、テストビームが過ぎる第2情報保存層L2の部分は少なくともデータを記録して置く。
【００４６】
また、本発明による方法は、トラック方向がOTP(オポジットトラックパス)タイプである場合とPTP(パラレルトラックパス)タイプである場合にいずれも適用可能であり、前記例では、2層の情報保存層を備えた媒体について説明したが、3層以上の情報保存層を有する媒体に対しても適用可能であるということは言うまでもない。
【００４７】
一方、最適の記録パワーを得るために各情報保存層についてのジッタ、変調度、非対称性及び反射率のうち、少なくとも１つを各情報保存層に記録する。図3は、本発明による情報記録媒体の概略的なレイアウトを示したものであって、リードイン領域20、ユーザデータ領域25及びリードアウト領域30を含む。
【００４８】
リードイン領域20は、再生専用領域と記録可能な領域に分けられており、前記再生専用領域にあるコントロールデータゾーンにディスク関連情報及びコピー防止情報が記録される。このような情報のうち、１つがOPCのための情報になりうる。
【００４９】
前記コントロールデータゾーンの所定バイトに各情報保存層についてのジッタ、変調度、非対称性及び反射率のうち、少なくとも１つを記録する。特に、記録可能な情報記録媒体の場合には、非対称性についての情報が記録されることが望ましい。そして、第1情報保存層の下方からビームが入射される場合、第2情報保存層に対する非対称性はビームが過ぎる第1情報保存層部分にデータの記録された後の非対称性であることが望ましい。
【００５０】
また、情報記録媒体の材質が異なるか、媒体の種類が変わる場合、非対称性だけでなく変調度やジッタのような他の情報も共に記録されうる。
【００５１】
前記のようなコントロール情報は、前記リードイン領域20またはリードアウト領域30にも記録され、両側に反復されて記録されうる。
【００５２】
または、図4に示されたようにコントロールデータゾーンの相異なる領域に第1情報保存層についての非対称性情報と第2情報保存層についての非対称性情報とが各々記録されうる。ここで、第1情報保存層についての非対称性情報と共に層数についての情報として第1情報保存層という情報が記録され、第2情報保存層についての非対称性情報と共に第2情報保存層という情報が記録される。
【００５３】
このようなディスク関連情報は、第1情報保存層と第2情報保存層の両側に同一に記録されることが望ましい。
【００５４】
一方、図5Aに示されたように、第1情報保存層L0と第2情報保存層L1に第1OPC領域L0-23と第2OPC領域L1-23とが備えられる。第1情報保存層のためのOPCが行われる領域21bと第2情報保存層のためのOPCが行われる領域22aとが対面しないように配置される。そして、ビームが第1情報保存層L0から入射される時、第2情報保存層のためのOPCが行われる領域22aの下にある領域21aに記録した後、第2情報保存層のためのOPCを行う。
【００５５】
第1情報保存層L0のためにOPCが行われた領域21bと対向する第2情報保存層L1の領域22bは、保留領域になりうる。
【００５６】
第2情報保存層L1のためのOPCを行うためのビームが通過する領域21aに記録する方法としては、ディスク出荷時に記録するプリ・レコーティングを用いるか、ユーザがユーザデータを記録する前に既定の方式によって第1情報保存層L0の所定領域に記録する方法がある。
【００５７】
次いで、図5Bに示されたように、第1情報保存層L0と第2情報保存層L1に第1OPC領域L0-23と第2OPC領域L1-23とが備えられ、第1OPC領域L0-23の内周側に第1情報保存層L0のためのOPCが行われる領域21'aが備えられうる。そして、第2OPC領域L1-23の外周側に第2情報保存層L1のためのOPCが行われる領域22'bが備えられうる。
【００５８】
そして、ビームが第1情報保存層L0から入射される時、第2情報保存層のためのOPCが行われる領域22'bの下にある領域21'bに記録した後、第2情報保存層のためのOPCを行う。
【００５９】
第1情報保存層L0のためにOPCが行われた領域21'aと対向する第2情報保存層L1の領域22'aは保留領域(リザーブドエリア)になりうる。
【００６０】
前記のように記録される構造は、記録媒体の内部領域だけでなく、外周領域にも同一に適用しうる。
【００６１】
次いで、複数の情報保存層を有する情報記録媒体に各情報保存層ごとにOPCを行うに当って、図6Aに示されたように記録媒体がドライブに挿入されれば、下層から順にOPCを行い、ユーザデータを記録し、その次の層にOPCを行ってユーザデータを記録する方式がある。このような場合には、第1情報保存層に記録を完了した後、第2情報保存層でOPCを行う。しかし、第2情報保存層のOPCを行う間にもユーザデータは入力され続けるために、OPCが終わるまで、一定の容量のデータを保存できるメモリまたはバッファが必要である。
【００６２】
その他、図6Bに示されたように情報記録媒体がドライブに挿入されれば、各情報保存層ごとにOPCを行った後、その結果を用いて各情報保存層に順次にデータを記録する方式がある。このような方式は、別途のメモリやバッファが不要であり、データ記録中に中断なしに連続記録が可能な利点がある。
【００６３】
次いで、本発明による情報記録媒体のデータ記録/再生装置、すなわち、ドライブは、図2を参照するに、ピックアップ50、記録/再生信号処理部60及び制御部70を含んで構成される。さらに具体的に、記録/再生装置は、光を照射するレーザーダイオード51、レーザーダイオード51から照射される光を平行にするコリメーティングレンズ52、入射光の進行経路を変換するビームスプリッタ54、ビームスプリッタ54を通過した光を情報記録媒体Dに集束させる対物レンズ56を含む。
【００６４】
前記情報記録媒体Dから反射された光がビームスプリッタ54により反射されて光検出器、例えば、4分割光検出器57に受光される。光検出器57に受光された光は演算回路部58を経て電気信号に変換されてRF信号、すなわち、サム信号として検出されるチャンネル1  Ch1とプッシュプル方式に信号を検出する差動信号チャンネルCh2に出力される。
【００６５】
制御部70は、情報記録媒体Dにデータを記録する前に情報記録媒体Dの所定領域に備えられたテスト領域で最適の記録パワーを探すためのテストを行う。前記情報記録媒体Dは、第1及び第2情報保存層L1、L2を含む。制御部70は、前記第1情報保存層L1にデータ記録後、前記第2情報保存層L2に最適の記録パワーのためのテストを実行する時、テストビームが過ぎる第1情報保存層の部分にデータが記録されているか否かを検出する。そして、テスト実行前に少なくともテストビームが過ぎる領域にデータが記録されるように制御する。
【００６６】
制御部70は、最適の記録パワーのためのテスト時に情報記録媒体のリードイン領域に記録されたコントロール情報として反射率、ジッタ値、変調度または非対称性をピックアップ50を通じて読み取り、この値を用いて最適の記録パワーを判断する。
【００６７】
制御部70は、テストを通じて得た適正パワーの記録ビームをピックアップ部50を通じて照射する。この記録ビームにより前記情報保存媒体Dにデータが記録される。
【００６８】
このように記録されたデータを再生するために前記情報記録媒体Dから反射されたビームが対物レンズ56とビームスプリッタ54とを通じて光検出器57に入力される。光検出器57に入力された信号は演算回路部58により電気信号に変換されてRF信号に出力される。
【００６９】
次いで、本発明の他の実施形態によるドライブは、情報記録媒体についてのOPC関連情報を含みうる。この情報は、例えば、情報記録媒体にOPCのためのビームが通過する部分にデータの記録された場合と、記録されていない場合とに、OPCに与えられる影響についての情報である。このような情報を有しているドライブは、OPCの実行時に情報記録媒体にOPCのためのビームが通過する領域にデータをあらかじめ記録する必要はない。
【００７０】
OPC関連情報を有しているドライブと、有していないドライブとがあり得るが、前記情報を有しているドライブは情報記録媒体にOPCのために隣接する情報保存層にデータをあらかじめ記録する必要はない。それにも拘わらず、OPC関連情報の有無に関係なくOPCのために隣接する情報保存層に無条件データを記録せねばならないならば、データ記録時間の増加とOPC領域の減少とが招かれ得る。
【００７１】
すなわち、OPC関連情報を有しているドライブで情報記録媒体にデータを記録する場合までOPCのためのビームが通過される領域にデータをあらかじめ記録するならば、データを記録するのに時間がかかり、データの記録される領域ほどOPCのための領域が減る短所がある。
【００７２】
したがって、OPC関連情報を有しているドライブでは、OPCのために隣接する情報保存層にデータを記録しなくても良いほど、所定の情報をドライブに与える必要がある。前記情報を用いてドライブがOPCを実行する時、OPCのためのビームが通過する部分にデータが記録されていなくても、自体的に有しているOPC関連情報を用いて正確かつ速かにOPCを行わせる。
【００７３】
例えば、OPCのためのビームが過ぎる領域にデータの記録有無による影響を示すOPC関連情報を有しているドライブをAドライブと称し、その情報のないドライブをBドライブと称する。そして、OPCのためのビームが通過する領域をY領域と称する。
【００７４】
Aドライブにより情報記録媒体にデータを記録する時、OPCを行う前にディスク関連情報を読取る。この際、情報記録媒体にOPCのためのビームが通過する領域(Y領域)にデータが記録されているという情報が記録されていないならば、前記Aドライブは、情報記録媒体へのOPCの実行時に、前記Y領域に別途のデータを記録する必要なく、Aドライブで有している情報を用いてOPCを行う。このようにすれば、Y領域にデータを記録する時間を節減しうる。
【００７５】
一方、情報記録媒体の所定領域にY領域にデータが既に記録されているという情報が記録されているならば、Aドライブは情報記録媒体にOPCを実行する時、データが記録されていることを考慮した記録パワーでOPCを行う。
【００７６】
Bドライブにより情報記録媒体にデータを記録する時、OPCを行う前にディスク関連情報と記録可能な領域に記録された情報とを読取る。この際、情報記録媒体にOPCのためのビームが通過する領域(Y領域)にデータが記録されているとの情報が記録されていないならば、前記Bドライブは情報記録媒体でのOPCの実行時に前記Y領域にデータをあらかじめ記録した後、Y領域を通じてOPCビームを照射する。そして、Y領域にデータが記録されているとの情報をリードイン領域またはリードアウト領域に記録する。リードイン領域またはリードアウト領域の記録可能な領域、例えば、情報ゾーンに記録する。
【００７７】
第2情報保存層のOPCのために第1情報保存層のY領域にデータが記録されているか否かの情報を、情報ゾーンにある任意のバイトXを用いて次のように記録しうる。
【００７８】
バイトＸ  ：  00000000(00h)→未記録
00000001(01h)→記録
一方、図5A及び図5Bに示されたようにOPCのためのデータがOPC領域L0-23、L1-23の内周または外周に記録されているか否かの情報を各々示す場合には、任意のバイトXを用いて次の通り記録しうる。
【００７９】
バイトｘ  ：  00000000(00h)→内周領域に未記録、外周領域に未記録
00000001(01h)→内周領域に未記録、外周領域に記録
00010000(10h)→内周領域に記録、外周領域に未記録
00010001(11h)→内周領域に記録、外周領域に記録
前記のように１バイトの先行4ビットには内周領域についての情報、後続4ビットには外周領域についての情報を記録し、これと違って２つのバイトを用いて各々内周領域についての情報と外周領域についての情報とを記録することもできる。
【００８０】
具体的に、第1情報保存層L0と第2情報保存層L1とを備え、第1情報保存層L0からデータを記録し、ピックアップが第1情報保存層L0の下方に備えられうる。前記第2情報保存層L1にデータを記録するために第2情報保存層L1にOPCを行う時、OPCのためのテストビームが過ぎる領域にデータが別途に記録されているか否かの情報を用いることが望ましい。
【００８１】
OPCのためのデータが記録されていない場合、ドライブが有しているOPCのための情報を用いてOPCのためのデータを別途に記録しなくてもOPCを行える。
【００８２】
前記のような方式は、3層以上の情報保存層を有する情報記録媒体に対しても同一に適用しうる。OPCが行われる情報保存層にテストビームを照射する時、テストビームが通過する領域にデータが記録されているか否かの情報が所定領域に記録され、この情報を用いて複数の情報保存層にOPCを行う。
【００８３】
ここで、OPCのためのテスト領域は、ユーザデータ領域以外の領域に備えられうる。図3及び図4では、リードイン領域にテスト領域が備えられた場合を例示しているが、リードイン領域とリードアウト領域以外に独立してテスト領域が備えられることもある。
【００８４】
一方、情報記録媒体の所定領域に、Y領域にデータが既に記録されているという情報が記録されているならば、Bドライブは情報記録媒体でのOPCの実行時に、データが記録されていることを考慮した記録パワーでOPCを行う。
【００８５】
本発明のドライブでは、前記のようなOPCのためのデータ記録についての情報を読取り、前記ドライブに対応する方式でOPCを行うようにピックアップ50を制御する。
【産業上の利用可能性】
【００８６】
前記したように本発明による情報記録媒体は、OPCのためのビームが通過する領域にデータが記録されているか否かの情報を含み、ドライブによってOPCのために別のデータを選択的に記録させる。これにより、OPCのために別途のデータを記録する必要のない場合、OPCのための記録時間を短縮すると共に、OPC領域の活用度を高めうる。
【００８７】
前述したように本発明による情報記録媒体にデータを記録/再生する方法は、複数の情報保存層を有する記録可能な情報記録媒体に最適の記録パワーを探してデータを記録/再生可能にする。最適の記録パワーをテストしてデータを記録することによって、良好な記録/再生特性が得られる。また、ピックアップに近い情報保存層からデータを記録/再生可能にしてDVD-ROMとの一貫性を維持可能にする記録可能な情報記録媒体を提供する。
【００８８】
また、本発明による情報記録媒体に/からデータを記録/再生する装置を用いて記録可能な情報保存層に最適の記録パワーについてのテストを行える。
【００８９】
また、OPCのための記録条件をドライブによって選択できるようにOPCのためのデータについての情報を提供して、さらに効率よくOPCを行わせる。
【００９０】
本発明の幾つかの実施形態が図示され、説明されたが、本発明の原理と思想、特許請求の範囲とその均等範囲で定義された範囲を外れず、当業者によりこれら実施形態が変化されうる。
【図面の簡単な説明】
【００９１】
本発明の一側面及び/または他の側面が添付された図面と結合した実施形態の説明から明白になってさらに容易に理解されうる。
【図１】本発明による情報記録媒体に/からデータを記録/再生する方法を説明するための2層構造の記録媒体を示す図である。
【図２】本発明による情報記録媒体にデータを記録/再生する装置を概略的に示す図である。
【図３】本発明による情報記録媒体を概略的に示すレイアウト図である。
【図４】本発明による情報記録媒体にディスク関連情報が記録される他の例を示す図である。
【図５Ａ】本発明による情報記録媒体に最適の記録パワーをテストする方法を説明するための図である。
【図５Ｂ】本発明による情報記録媒体に最適の記録パワーをテストする方法を説明するための図である。
【図６Ａ】本発明による情報記録媒体にデータを記録/再生する方法でのOPCの実行方式を示すブロック図である。
【図６Ｂ】本発明による情報記録媒体にデータを記録/再生する方法でのOPCの実行方式を示すブロック図である。
【図１】
2007526595.tif 000009
【図２】
2007526595.tif 000010
【図３】
2007526595.tif 000011
【図４】
2007526595.tif 000012
【図５Ａ】
2007526595.tif 000013
【図５Ｂ】
2007526595.tif 000014
【図６Ａ】
2007526595.tif 000015
【図６Ｂ】
2007526595.tif 000016
【国際調査報告】
2007526595.tif 000017